(57)【要約】【課題】殺虫剤含有シートやパッケージを強固に網面に簡単に取り付けることができ、しかも、取り外す際に面ファスナーの片側が剥離落下するようなことが生じず、且つ取り付けや取り外しことにより網戸構成モノフィラメントが切断されるようなことがない取り付け具を提供する。【解決手段】網戸の網面に物体を取り付けるための取り付け具であって、該物体の裏面に取り付けた基板の表面から突出する少なくとも一対の棒状体を有しており、対をなす棒状体の間隔が、中間部で一旦広くなり、根元部および先端部で狭くなっている或いは中間部で一旦狭くなり、根元部および先端部で広くなっていることを特徴とする網戸への取り付け具。【選択図】図２
2011058166.tif 000002
【特許請求の範囲】
【請求項１】
網戸の網面に物体を取り付けるための取り付け具であって、基板の表面から突出する少なくとも一対の棒状体を有しており、対をなす棒状体の間隔が、中間部で一旦広くなり、根元部および先端部で狭くなっていることを特徴とする網戸への取り付け具。
【請求項２】
間隔が広くなっている部分の間隔が、網戸の網目間隔に網戸構成フィラメントの直径長さを加えた値より広く、間隔が狭くなっている部分の間隔が、広い部分の間隔から網戸構成フィラメントの直径を引いた値より狭い請求項１に記載の取り付け具。
【請求項３】
網戸の網に物体を取り付けるための取り付け具であって、基板の表面から突出する少なくとも一対の棒状体を有しており、対をなす棒状体の間隔が、中間部で一旦狭くなり、根元部および先端部で広くなっていることを特徴とする網戸への取り付け具。
【請求項４】
間隔が広くなっている部分の間隔が、網戸の網目間隔に網戸構成フィラメントの直径の２倍の値を加えた値より広く、間隔が狭くなっている部分の間隔が、広い部分の間隔から網戸構成フィラメントの直径を引いた値より狭い請求項３に記載の取り付け具。
【請求項５】
棒状体が直径０．２〜２．０ｍｍの合成樹脂製のものである請求項１〜４のいずれかに記載の取り付け具。
【請求項６】
棒状体が直径０．１〜２．０ｍｍの金属製のものであり、その先端部には膨頭状の膨らみを有している請求項１〜４のいずれかに記載の取り付け具。
【請求項７】
基板上に棒状体が２対以上存在している請求項１〜６のいずれかに記載の取り付け具。
【請求項８】
網戸の網に物体を取り付けるための取り付け具であって、該物体の裏面に取り付けた基板の表面から突出する、先端部または中間部に膨らみを有する棒状体が複数本存在していることを特徴とする網戸への取り付け具。
【請求項９】
棒状体のステム部分の直径が網戸構成フィラメントの網目間隔より細く、膨らみ部の太さが網目間隔より太い請求項８に記載の取り付け具。
【請求項１０】
網戸に取り付ける物体が殺虫剤を含むケースである請求項１〜９のいずれかに記載の取り付け具。
【発明の詳細な説明】
【技術分野】
【０００１】
本発明は、網戸の表面に、例えば殺虫剤を含むケース等を取り付けて、網戸による虫の侵入阻止とともに、網戸に取り付けた殺虫剤あるいは忌避剤により虫が網戸に近づくこと自体を防止するために用いられる殺虫剤ケース等を網戸へ取り付ける際に用いられる取り付け具に関する。
【背景技術】
【０００２】
従来より、防虫剤シートを網戸の網面に面ファスナーで取り付けることは公知である（特開２００５‐１８０１４８号）。この方法は、防虫剤シートの裏面に一方の面ファスナー（例えばループ状係合素子を有する面ファスナー）を貼り付け、これを網戸の網面に押し付け、網面の反対側の面からもう一方の面ファスナー（例えばフック状係合素子を有する面ファスナー）を押し付けて両面ファスナーを係合させて防虫剤シートを網戸に取り付けるものである。そして、この公知技術を用いた網戸用防虫剤が販売されている。
【０００３】
しかしながら、この公知技術の場合には、中間に存在する網目に遮られて、両面ファスナーが十分に近づくことができず、期待したほども係止力が得られず、さらに防虫剤シートを取り外す際に、網面の片側に取り付けた防虫剤シートを剥がすと反対面に取り付けたもう一方の面ファスナーが同時に剥離し、落下し、紛失し易いという欠点を有している。
【先行技術文献】
【特許文献】
【０００４】
【特許文献１】特開２００５‐１８０１４８号公報
【発明の概要】
【発明が解決しようとする課題】
【０００５】
本発明は、上記した面ファスナーを用いる公知技術の問題点を解消するものであり、具体的には、網戸の網面の一点を押し付けると、網戸を構成するモノフィラメントが目ズレを生じ、押し付けるのを止めると、しばらくすると目ズレがほぼ解消する性質を網戸が有していることを利用して、網戸に殺虫剤等を取り付ける技術を完成したものであり、本発明により、殺虫剤含有シートやパッケージを網面に強固にかつ簡単に取り付けることができ、しかも、従来技術のように、取り外す際に面ファスナーの片側が剥離落下するようなことが生じず、且つ取り付けや取り外しにより網戸構成モノフィラメントが切断されるようなことがない簡単な取り付け具を提供することにある。
【課題を解決するための手段】
【０００６】
すなわち、本発明は、網戸の網に物体を取り付けるための取り付け具であって、基板の表面から突出する少なくとも一対の棒状体を有しており、対をなす棒状体の間隔が、中間部で一旦広くなり、根元部および先端部で狭くなっていることを特徴とする網戸への取り付け具（以下、第１発明と称す）であり、好ましくは、この第１発明において、間隔が広くなっている部分の間隔が、網戸の網目間隔に網戸構成フィラメントの直径長さを加えた値より広く、間隔が狭くなっている部分の間隔が、広い部分の間隔から網戸構成フィラメントの直径を引いた値より狭い場合である。なお、ここでいう間隔が広くなっている部分とはもっとも間隔が広くなっている部分の間隔を意味し、一方、狭くなっている部分は、ほぼ同一の間隔を保ち平行して存在しているのが好ましい。
【０００７】
また本発明は、網戸の網に物体を取り付けるための取り付け具であって、基板の表面から突出する少なくとも一対の棒状体を有しており、対をなす棒状体の間隔が、中間部で一旦狭くなり、根元部および先端部で広くなっていることを特徴とする網戸への取り付け具（以下、第２発明と称す）であり、好ましくは、この第２発明において、間隔が広くなっている部分の間隔が、網戸の網目間隔に網戸構成フィラメントの直径の２倍の値を加えた値より広く、間隔が狭くなっている部分の間隔が、広い部分間隔から網戸構成フィラメントの直径を引いた値より狭い場合である。なお、ここでいう間隔が狭くなっている部分とはもっとも間隔が狭くなっている部分の間隔を意味し、広くなっている部分は、ほぼ同一の間隔を保ち平行して存在しているのが好ましい。
【０００８】
そして、好ましくは、このような第１および第２発明において、棒状体が直径０．２〜２．０ｍｍの合成樹脂製のものである場合であり、また棒状体が直径０．１〜２．０ｍｍの金属製のものであり、その先端部には膨頭状の膨らみを有している場合であり、また基板上に上記したような棒状体が２対以上存在している場合である。
【０００９】
さらに、本発明は、網戸の網に物体を取り付けるための取り付け具であって、基板の表面から突出する、先端部または中間部に膨らみを有する棒状体が複数本存在していることを特徴とする網戸への取り付け具（以下第３発明と称す）であり、好ましくは、この第３発明において。棒状体のステム部分の直径が網戸構成フィラメントの網目間隔より細く、膨らみ部の太さが網目間隔より太い場合である。
【００１０】
そして、このような第１〜３発明において、好ましくは、網戸に取り付ける物体が殺虫剤を含むケースである場合である。
【発明の効果】
【００１１】
本発明の取り付け具の棒状体の先端を網戸の網面に押し付けると、網戸を構成するモノフィラメントが目ズレを生じて棒状体の根元部分まで網目間に侵入し、しばらくすると目ズレがほぼ解消して、棒状体の中間の間隔が狭まった個所または拡がった個所の存在により網目から棒状体が抜けるのを阻止することができる。したがって、本発明により、殺虫剤含有シートやパッケージ等を強固に網面に簡単に取り付けることができ、しかも、取り付けた後は取り付けた物体の重みにより自然に網目から抜けることがなく、そして上記した従来技術のように、取り外す際に反対面に存在する面ファスナーが剥離落下するようなことが生じず、且つ取り付けや取り外しにより網戸構成モノフィラメントが切断されるようなことがない。
【図面の簡単な説明】
【００１２】
【図１】本第１発明の取り付け具の一例を示す斜視図である。
【図２】本第１発明の一例の取り付け具を網戸の網面に取り付けた場合の側面図である。
【図３】本第２発明の取り付け具の一例を示す斜視図である。
【図４】本第２発明の一例の取り付け具を網戸の網面に取り付けた場合の側面図である。
【図５】本第３発明の取り付け具の一例を示す斜視図である。
【図６】本第３発明の一例の取り付け具を網戸の網面に取り付けた場合の側面図である。
【図７】本第３発明の他の好適な一例を示す側面図である
【発明を実施するための形態】
【００１３】
次に、図面に基づき本発明を説明する。
本第１発明の取り付け具は、図１や図２に示すように基板（１）とその基板から突出する少なくとも一対の棒状体（２、２´）からなり、同様に、本第２発明の取り付け具は、図３や図４に示すように、基板（１）とその基板から突出する少なくとも一対の棒状体（３、３´）からなり、また本第３発明の取り付け具は、基板（１）とその基板から突出する棒状体（４）からなる。
【００１４】
基板の裏面には、殺虫剤や忌避剤等を徐放する物質、またはこれらを内有する箱体や包装体等の物体等（５）が一体化されている。図２、図４および図６において、６が網戸の網を構成しているモノフィラメントの長さ方向に直角な面での断面である。
【００１５】
基板（１）の裏面には、殺虫剤や忌避剤等を徐放する物質、またはこれらを内有する箱体や包装体等の物体（５）が取り付けられるが、箱体や包装体がそれなりの強度を有している場合、例えばプラスチック製や金属製のケース等である場合には、ケース（５）の表面が基板（１）を兼ねていてもよい。基板の裏面に上記したような物体（５）を取り付ける方法としては、接着剤、粘着剤、面ファスナー等のいずれであってもよい。
【００１６】
取り付ける物体（５）としては、上記した殺虫剤や虫忌避剤等を徐放する物質、またはこれらを内在させた箱体や包装体等の他に、芳香剤、消臭剤、室内装飾用の飾り（クリスマスツリーに付ける飾りのようなもの）等を内在させた箱体や包装体等、さらに網戸に模様を付与するための模様付きシート等が挙げられる。
【００１７】
本第１発明および第２発明では、基板の表面に、図１〜４に示すように、少なくとも一対の棒状体（２と２´、または３と３´）が基板上に立設されている。棒状体は、上記したように、対をなす棒状体の間隔が、第１発明のように、中間部で一旦広くなり、根元部および先端部で狭くなっているか、あるいは第２発明のように、中間部で一旦狭くなり、根元部および先端部で広くなっていることが必須である。第１図〜第５図に示すように、棒状体の途中部分を間隔が広くなる或いは狭くなるように曲げててもよいし、さらに棒状体に突起部を設けて間隔を変えることもできる。間隔が広くなる或いは狭くなることにより一対の棒状体の内側或いは外側に存在する網構成フィラメントが対の棒状体間から外れ難くなる。
【００１８】
第１発明において、間隔が広くなっている部分の間隔が、網戸の網目間隔に網戸構成フィラメントの直径長さを加えた値より広く、間隔が狭くなっている部分の間隔が、広い部分の間隔から網戸構成フィラメントの直径を引いた値より狭いことが網戸から棒状体が容易に脱離しないことから好ましい。この第１発明において、より好ましくは、間隔が広くなっている部分の間隔としては２．０〜１００．０ｍｍが好ましく、間隔が狭くなっている部分の間隔としては、広くなっている部分より０．８〜１０．０ｍｍ狭いのが好ましい。
なお、本発明でいう網目間隔とは、網戸の網目を構成する、隣り合うモノフィラメント同士が構成する空隙部の経方向または緯方向距離である。
【００１９】
また、第２発明において、間隔が広くなっている部分の間隔が、網戸の網目間隔に網戸構成フィラメントの直径の２倍の値を加えた値より広く、間隔が狭くなっている部分の間隔が、広い部分間隔から網戸構成フィラメントの直径を引いた値より狭いことが、網戸から棒状体が容易に脱離しないことから好ましい。この第２発明において、より好ましくは、間隔が狭くなっている部分の間隔としては１．０〜１００．０ｍｍが好ましく、間隔が広くなっている部分の間隔としては、狭くなっている部分より０．８〜１０．０ｍｍ広いのが好ましい。
【００２０】
第１発明および第２発明において、棒状体の中間部は間隔が一旦広くなっているか狭くなっていることが必要であるが、根元部と先端部分に関しては、ほぼ同一の間隔となっているのが好ましい。ほぼ同一となっていることにより、網戸の網目構造に大きな歪みをもたらすことなく取り付けることができることとなる。
【００２１】
第１発明及び第２発明における棒状体を構成する素材としては、プラスチックスや金属が挙げられる。プラスチックスの場合には、直径０．２〜２．０ｍｍのものが好ましい。プラスチックスの場合には、太い合成繊維製のモノフィラメント（例えばポリオレフィン製、ナイロン製、ポリエステル製、ポリビニルアルコール製等）を用いてもよい。もちろん、網目間隔とほぼ同一の直径またはそれよりも細いことが網目に挿入し易いことから好ましい。しかし、細すぎる場合には、棒状体が容易に曲がり且つ切断され易くなり好ましくない。したがって直径０．４ｍｍより太いのが好ましく、より好ましくは直径０．５ｍｍ以上である。
一方、金属の場合には、直径０．１〜２．０ｍｍのものが好ましく、網戸の網目から棒状体の先端部が突き出している場合には、網戸に人体が触れると怪我を生じることがあることから先端部が膨頭状の膨らみ形状となっているのが好ましい。もちろん、プラスチック製の場合においても、膨頭状の膨らみとなっていても良い。もちろん、膨らみ部分が網目よりはるかに太い場合には、網目に棒状体を挿入することは困難となるので網目より僅かに太い程度以下にするのが好ましい。
【００２２】
棒状体の高さとしては１．０〜１５．０ｍｍが好ましく、途中の太くなっている或いは狭くなっている部分が棒状体の根元から０．３〜７．０ｍｍの高さの部分に存在しているのが、太くなっている部分或いは細くなっている部分から根元方向に網戸構成フィラメントを保持固定できる上で好ましい。そしてこのような棒状体の対が、基板上に１対以上、特に２〜１０対存在するのが好ましい。
【００２３】
本第１発明および第２発明において、基板の大きさや形状に関しては特に限定されないが、少なくとも１対の棒状体が表面に立設でき、網面に面として密着できる大きさであれば良く、具体的には一辺１．０〜１，０００．０ｍｍの四角形、直径１．０〜１０００．０ｍｍの円形、その他、面積１．０〜１，０００，０００ｍｍ２の多角形等が挙げられる。素材としては、ブラスチック製、厚紙製、金属製、木製、織編物製等のいずれであってもよい。
【００２４】
また本第３発明のように、基板の表面から突出する、先端部または中間部に膨らみを有する棒状体が複数本存在している場合でもよい。このような場合の具体例を示したのが図５と図６である。同図において、本第３発明の取り付け具は、基板（１）とその基板から突出する棒状体（４）からなる。また、図７も本第３発明の好適な他の一例を示すものである。
【００２５】
棒状体（４）は、ステム部分（７）とその上部に存在する膨らみ部（８）からなる。膨らみ部は図６に示すような円錐状の形状を有していることが円錐部の下部に網戸構成フィラメントを収納でき、網戸上に物体（５）を強固に固定できる上で好ましい。したがって、ステム部分（７）の長さとしては２本の網戸構成フィラメントが十分に収納できる長さであることが好ましく、具体的には０．５〜２．０ｍｍが好ましい。また、ステム部分の太さとしては、網目間隔より狭く、０．５〜２．０ｍｍが好ましく、膨らみ部（８）の最大直径となる部分で網目間隔より大きく、直径０．６〜２．１ｍｍが好ましい。また、この棒状体の高さとしては、１．０〜１５．０ｍｍが好ましい。網戸から容易に取り外し可能とするためには、その先端の膨らみ部の下部を直線的とするのではなく、図７に示すように緩やかな曲線とするのが好ましい。
【００２６】
さらに、この第３発明において、網戸に触れた人が怪我をしないように、円錐状の頂部が丸められたり、平坦となっているのが好ましい。この第３発明の棒状体を構成する素材としては、プラスチック、金属のいずれでもよい。そして、このような棒状体が基板上に１〜１０個存在しているのが好ましい。基板に関しては、上記第１発明や第２発明の場合と同様である。
【００２７】
本発明で取り付ける対象の網戸に関しては特に限定されないが、１６〜２４メッシュ／インチのもので、網目を構成しているモノフィラメントが直径０．２５〜０．３５ｍｍのものが好適である。モノフィラメントは合成繊維であっても、あるいは金属繊維やガラス繊維の表面を樹脂コートしたものでもよい。一般に経糸織密度と緯糸織密度を同一とした平織構造体が用いられる。
また、網戸に取り付ける際には、雨により濡れることを少しでも軽減するために、室内側に取り付けるのが好ましい。その際には、取り付けたことにより、ガラス戸の開閉が妨げられないように、取り付け物の厚さは２０ｍｍ以内とするのが好ましい。
【実施例】
【００２８】
以下本発明を実施例により説明するが、本発明はこれら実施例に限定されるものではない。
【００２９】
実施例１
厚さ約２ｍｍ、２５ｍｍ角の合成樹脂製の基板に図１、図２のような樹脂製の棒状体を取り付けた。棒状体の太さは直径０．６ｍｍで高さは６．０ｍｍである。一対の樹脂製棒状体の間隔は１０．０ｍｍで、広くなっている部分の間隔は１４．０ｍｍ、広くなっている部分は根元から２．０ｍｍの高さに位置し、先端部は溶融させることにより丸みのある膨頭状にしてある。このような棒状体対を２５ｍｍ角の基板に二対取り付けた。この棒状体付き基板の裏面に、厚み３ｍｍ、１００ｍｍ角の防虫剤入り紙ケースを両面粘着テープで取り付けた（総重量約２０ｇ）。
【００３０】
この取り付け具付き防虫剤を、上記棒状体を網面に根元部分まで挿入させることにより網戸（１６メッシュ：網は直径０．３ｍｍのモノフィラメント）の室内側に固定した。取り付ける際には、網目が棒状体に押しやられ目ズレが生じたが、しばらくしたら、目ズレは自然に解消し、裏面から軽く力を加えた程度では取り付け物は脱落しなかった。この状態で１週間放置したが、雨、風による脱落或いは開け閉めによる振動による脱落等は全く生じなかった。また、網戸の室内側に存在するガラス戸の開閉にも全く支障がなかった。
【００３１】
実施例２
厚さ約２ｍｍ、２５ｍｍ角の合成樹脂製の基板に図３、図４のような金属製の棒状体を埋め込んだ。取り扱い時に指先や網戸に触れた人が傷つけないように金属製棒状体の先端部は膨らみを有するとともに丸くしてある。棒状体の太さは直径０．５ｍｍで高さは７．０ｍｍである。一対の金属製棒状体の間隔は８．０ｍｍで、狭くなっている部分の間隔は５．０ｍｍ、狭くなっている部分は根元から１．０ｍｍの高さに位置している。このような棒状体対を２５ｍｍ角の基板に二対取り付けた。この棒状体付き基板の裏面に、厚み３ｍｍ、１００ｍｍ角の防虫剤入り紙ケースを両面粘着テープで取り付けた（総重量約２０ｇ）。
【００３２】
この取り付け具付き防虫剤を上記棒状体を網面に根元部分まで挿入させることにより網戸（１６メッシュ：網は直径０．３ｍｍのモノフィラメント）の室内側に固定した。取り付ける際には、網目が棒状体に押しやられ目ズレが生じたが、しばらくしたら、目ズレは自然に解消し、裏面から軽く力を加えた程度では取り付け物は脱落しなかった。この状態で１週間放置したが、雨、風による脱落或いは開け閉めによる振動による脱落等は全く生じなかった。また、網戸の室内側に存在するガラス戸の開閉にも全く支障がなかった。
【００３３】
実施例３
厚さ約２ｍｍ、２５ｍｍ角の樹脂製の基板に４本の中間部に膨らみのある図７のような樹脂製の棒状体を埋め込んだ。棒状体の太さは直径０．６ｍｍで、高さは７．０ｍｍ、根元から３．０ｍｍの位置を直径１．２ｍｍで、先端部は丸みを持たせてある。この棒状体付き基板の裏面に厚み３ｍｍ、１００ｍｍ角の防虫剤入り紙ケースを両面粘着テープで取り付けた（総重量約２０ｇ）。
【００３４】
この取り付け具付き防虫剤を網戸（１６メッシュ：網は直径０．３ｍｍのモノフィラメント）に上記棒状体を網面に根元部分まで挿入させることにより固定した。取り付ける際には、網目が棒状体に広げられ僅かに目ズレが生じたが、しばらくしたら目ズレは自然に解消し、裏面から軽く力を加えた程度では取り付け物は脱落しなかった。１週間放置したが、雨、風による脱落或いは開け閉めによる振動による脱落等は全く生じなかった。また、網戸の室内側に存在するガラス戸の開閉にも全く支障がなかった。
【００３５】
比較例
厚さ約２ｍｍ、２５ｍｍ角の基板に二対の金属製棒状体を埋め込んだ。この棒状体の対の間隔は根元から先端部まで一定の８．０ｍｍである。棒状体の太さは直径０．５ｍｍ、高さは５．０ｍｍで根元から先端部まで膨らんでいる部分がなく、一定の太さにした。この直線棒状体付き基板の裏面に、厚み３ｍｍ、１００ｍｍ角の防虫剤入り紙ケースを両面粘着テープで取り付けた（総重量約２０ｇ）。
この取り付け具付き防虫剤を、網戸（１６メッシュ：網は直径０．３ｍｍのモノフィラメント）に、上記棒状体を網面に根元部分まで挿入させることにより固定した。この状態で１週間放置したが、棒状体が直線的で網目から棒状体が抜けるのを阻止できなかったため、風や振動等によって頻繁に脱落した。
【符号の説明】
【００３６】
１：基板
２、２´：棒状体
３、３´：棒状体
４：棒状体
５：物体
６：網戸構成モノフィラメント
７：ステム部分
８：膨らみ部分
【図１】
2011058166.tif 000003
【図２】
2011058166.tif 000004
【図３】
2011058166.tif 000005
【図４】
2011058166.tif 000006
【図５】
2011058166.tif 000007
【図６】
2011058166.tif 000008
【図７】
2011058166.tif 000009